(57)【要約】【課題】合成樹脂製又は布製の中間シート３に設けた多数の孔部３ａに薬剤１９（芳香剤、脱臭剤など）を過不足なく均等に充填することが可能な薬剤包含型複合シート１を提供する。【解決手段】中間シート３の多数の孔部３ａに薬剤１９を充填した後に、孔部３ａ内の薬剤１９は通気性シート３で覆われる。通気性シート１３は、孔部３ａに配された薬剤１９の気化成分を透過させるように構成されている。これにより、薬剤１９の気化成分が通気性シート３を介して外部に放散し易くなりながらも、放散の経時的な減衰を招くことがない。もって薬剤１９の種類に応じて生じる芳香や消臭などの良好な放散効果を途切らすことなく長期にわたって維持可能となる。【選択図】図２
2019047892.tif 000002
【特許請求の範囲】
【請求項１】
合成樹脂製の外層シートと、
前記外層シートの上面に貼着されて多数の孔部を形成した合成樹脂製又は布製の中間シートと、
前記中間シートの前記孔部に充填された薬剤と、    
前記中間シートの上面に前記孔部を覆うように貼着された合成樹脂製又は繊維製の通気性シートとを備えたことを特徴とする薬剤包含型複合シート。
【請求項２】
前記薬剤は、互いに効能の異なる第１薬剤と第２薬剤とから成り、前記第１薬剤は前記孔部のうち所定のものに充填され、前記第２薬剤は前記孔部のうち他のものに充填されていることを特徴とする請求項１に記載の薬剤包含型複合シート。
【請求項３】
前記薬剤は、芳香剤、消臭剤、防虫剤、抗菌剤、殺虫剤、嫌虫剤および害虫忌避剤から成る多種類の薬剤群から選択した一種類であることを特徴とする請求項１に記載の薬剤包含型複合シート。
【請求項４】
前記薬剤の前記芳香剤は、自然木材から抽出したテルペン類、セスキテルペン類を主成分とする固形粉末状の天然精油、ならびに合成香料から成る香料群から選択した一種類であることを特徴とする請求項２に記載の薬剤包含型複合シート。
【請求項５】
巻取りドラムから合成樹脂製の外層シートを外部に繰り出す引出し工程と、
合成樹脂製又は布製の中間シートの上面に合成樹脂製の補助シートとを接着剥離層を介して貼り合せて成る三重層シートを用意し、前記三重層シートに多数の貫通孔を厚み方向に貫通形成することで、前記補助シート、前記接着剥離層および前記中間シートのそれぞれに互いに連通し合う孔部を設けておく重層貫通工程を備え、
前記外層シートの上面に前記三重層シートを貼着する貼着工程と、
前記三重層シートの前記孔部に薬剤を注入充填する充填工程と、
前記三重層シートの前記補助シートを前記接着剥離層から剥離するとともに、前記補助シートに代わって合成樹脂製の通気性シートを前記中間シートの上面に前記中間シートの前記孔部および前記接着剥離層の前記孔部を覆うように貼着する被覆工程とを有することを特徴とする薬剤包含型複合シートの製造方法。
【請求項６】
前記充填工程の終了後に、前記三重層シートの前記補助シートの上面にスクレイパーを擦らせて、前記補助シートの上面に残る前記薬剤の残滓を掻き取る掻取り工程を設けたことを特徴とする請求項５に記載の薬剤包含型複合シートの製造方法。
【請求項７】
前記薬剤は、互いに効能の異なる第１薬剤と第２薬剤とから成り、前記充填工程において、前記第１薬剤は前記孔部のうち所定のものに充填され、前記第２薬剤は前記孔部のうち他のものに充填されていることを特徴とする請求項５に記載の薬剤包含型複合シートの製造方法。
【請求項８】
前記薬剤は、芳香剤、消臭剤、防虫剤、抗菌剤、殺虫剤、嫌虫剤および害虫忌避剤から成る多種類の薬剤群から選択した一種類であることを特徴とする請求項５に記載の薬剤包含型複合シートの製造方法。
【請求項９】
前記薬剤の前記芳香剤は、自然木材から抽出したテルペン類やセスキテルペン類を主成分とする固形粉末状の天然精油、ならびに合成香料から成る香料群から選択した一種類であることを特徴とする請求項８に記載の薬剤包含型複合シートの製造方法。
【発明の詳細な説明】
【技術分野】
【０００１】
本発明は、合成樹脂製シートを複数層に重ね合わせた複合シートに係り、内部に脱臭剤、芳香剤、抗菌剤、防虫剤または殺虫剤などを担持させた薬剤包含型複合シートおよびその製造方法に関する。
【背景技術】
【０００２】
室内装飾用のマットレスやシートなどのクッション材は、高級感を醸すものとして量産向けに工夫された複合マットがある（例えば、特許文献１参照）。この複合マットでは、合成樹脂製フィラメントを不織布状あるいは三次元網組織状に絡み合わせマット状の層を形成している。マット状の層には、補助剤としての流体と共に合成樹脂細繊維を吹き付けてている。合成樹脂細繊維には、脱臭剤や芳香剤などの微粉末薬剤を混入させている。
【０００３】
微粉末薬剤の混入時には、微粉末薬剤を多孔性合成樹脂微粉末に機械的衝撃手段を用いて埋設あるいは固着して薬剤担持粒子を形成している。薬剤担持粒子は、原料に投入混合された上で、紡糸金口への到達直前において、多孔性合成樹脂微粉末の溶融温度に至らしめて紡糸し、合成樹脂フィラメントあるいは合成樹脂細繊維を確保している。
【０００４】
また、特許文献２では、生産性が良好で、美麗な外観を長期間にわたって維持可能な化粧板を開示している。化粧板の製造にあたっては、基板上に接着剤を介して化粧用合成樹脂シートを貼着し、上塗り透明塗料を塗布して塗膜層を形成している。上塗り透明塗料には、芳香剤をそのままの状態で、あるいはエマルジョン化やマイクロカプセル化することで添加混合している。この構成では、上塗り透明塗料に含有させた芳香剤の放散により、芳香効果に加えて森林浴効果や衛生害虫に対する忌避効果を発揮させている。
【先行技術文献】
【特許文献】
【０００５】
【特許文献１】特開平０５−３１２６９号公報
【特許文献２】特開平０６−２６２７１８号公報
【発明の概要】
【発明が解決しようとする課題】
【０００６】
特許文献１の複合マットでは、微粉末薬剤を多孔性合成樹脂微粉末に機械的衝撃手段を用いて埋設あるいは固着して薬剤担持粒子を形成するため、複合マットの構成が複雑化し、製造方法も手間がかかって生産性を阻む一因となっている。
また、特許文献２の化粧板では、上塗り透明塗料に、芳香剤をそのままの状態で、あるいはエマルジョン化やマイクロカプセル化することで添加混合している。このため、芳香剤が透明塗料に被覆されてしまうため、芳香剤の放散性が低下する問題がある。
【０００７】
一般に、消臭剤や芳香剤などの薬剤を壁紙やタペストリーなどが成すシート状の中に入れ込む方法としては、薬剤を樹脂と一緒に練り込んでシート状にする練込み方法、あるいは薬剤を刷毛やスプレーンなどで表面に付着させる表面付着方法がある。
前者の練込み方法では、薬剤が樹脂の内部にあるため、薬剤が外部に放散し難く、樹脂の種類によっては化学変化などを起こす虞がある。後者の表面付着方法では、薬剤の放散性は良好なものの、薬剤の量的確保が難しく、薬剤の放散効果が経時的に減衰する不都合がある。
このため、当該技術分野の業界では、薬剤の良好な効果を十分強く維持しながら、その放散効果を長続き可能にする薬剤の封入方法が模索されていた。
【０００８】
本発明は上記事情に鑑みてなされたもので、その目的は、合成樹脂製又は布製の中間シートに設けた多数の孔部に薬剤を過不足なく均等に充填することにより、薬剤の種類に応じて生じる芳香や消臭などの良好な放散効果を途切らすことなく長期にわたって維持可能な薬剤包含型複合シートおよびその製造方法を提供することにある。
【課題を解決するための手段】
【０００９】
（請求項１について）
薬剤包含型複合シートでは、外層シートの上面に貼着されて多数の孔部を形成した合成樹脂製又は布製の中間シートが設けられ、中間シートの孔部に薬剤が充填されている。合成樹脂製の通気性シートは、中間シートの上面に孔部を覆うように貼着されている。
【００１０】
請求項１では、合成樹脂製又は布製の中間シートに設けた多数の孔部に薬剤を過不足なく均等に充填することが可能となり、孔部内の薬剤は通気性シートで覆われる。このため、薬剤が通気性シートを介して外部に放散し易くなり、かつ薬剤の放散効果が経時的に減衰することがなくなる。これにより、薬剤の種類に応じて生じる芳香や消臭などの良好な放散効果を途切らすことなく長期にわたって維持することができる。
【００１１】
（請求項２および請求項７について）
薬剤は、互いに効能の異なる第１薬剤と第２薬剤とから成り、第１薬剤は孔部のうち所定のものに充填され、第２薬剤は孔部のうち他のものに充填されている。
このため、第１薬剤と第２薬剤との各効能を同時に発揮させることができる。この際、例えば、第１薬剤を脱臭剤とし、第２薬剤を芳香剤とした場合、周りを脱臭雰囲気にさせた状態で芳香剤を放散するため、芳香剤の芳醇感度を高めて効き目を強化することが可能となる。
【００１２】
（請求項３および請求項８について）
薬剤は、芳香剤、消臭剤、防虫剤、抗菌剤、殺虫剤、嫌虫剤および害虫忌避剤から成る多種類の薬剤群から選択した一種類としている。これにより、薬剤包含型複合シートを多品種かつ多用途としての製造販売が可能となって多様な需要者の求めに応ずることができる。
【００１３】
（請求項４および請求項９について）
薬剤の芳香剤は、自然木材などの植物由来のテルペン類やセスキテルペン類を主成分とする固形粉末状の天然精油、ならびに合成香料から成る香料群から選択した一種類としている。これにより、多種類の効能を有する香料剤をコスト的に有利に入手し易くなる。
【００１４】
（請求項５について）
薬剤包含型複合シートの製造方法では、巻取りドラムから合成樹脂製の外層シートを外部に繰り出す引出し工程を備え、合成樹脂製又は布製の中間シートの上面に合成樹脂製の補助シートとを接着剥離層を介して貼り合せて三重層シートを用意し、三重層シートに多数の貫通孔を貫通形成する重層貫通工程を設けている。
貼着工程では、外層シートの上面に三重層シートを貼着する。充填工程では、三重層シートの孔部に薬剤を注入充填する。
被覆工程では、三重層シートの補助シートを接着剥離層から剥ぎ取るとともに、補助シートに代わって合成樹脂製の通気性シートを中間シートの上面にその孔部を覆うように貼着する。
【００１５】
請求項５でも、請求項１と同様に、合成樹脂製又は布製の中間シートに設けた多数の孔部に薬剤を過不足なく均等に充填することが可能となる。
このため、薬剤は通気性シートで覆われるようになり、薬剤が通気性シートを介して外部に放散し易くなり、かつ薬剤の放散効果の経時的減衰が起こらない。これにより、薬剤の種類に応じて生じる芳香や消臭などの良好な放散効果を途切らすことなく長期にわたって維持することができる。
【００１６】
（請求項６について）
充填工程の終了後に、三重層シートの補助シートの上面にスクレイパーを擦らせて、補助シートの上面に残る前記薬剤の残滓を掻き取る掻取り工程を設けている。
これにより、補助シートの上面に残る余分な薬剤が掃き取られ、補助シートの上面が清掃状態となり、補助シートを接着剥離層から剥ぎ取る際に便利となる。
【図面の簡単な説明】
【００１７】
【図１】薬剤包含型複合シートを示す斜視図である（実施例１）。
【図２】薬剤包含型複合シートを製造するための複合シート製造装置を示す斜視図である（実施例１）。
【図３】（ａ）は薬剤包含型複合シートの製造方法における引出し工程（貼着工程）を示す縦断面図、（ｂ）は充填工程（掻取り工程）を示す縦断面図である（実施例１）。
【図４】（ｃ）は薬剤包含型複合シートの製造方法における剥離工程を示す縦断面図、（ｄ）は被覆工程を示す縦断面図である（実施例１）。
【図５】薬剤包含型複合シートを製造するための複合シート製造装置の要部を示す斜視図である（実施例２）。
【図６】（ａ）は図５におけるＪ１−Ｊ１線に沿う拡大横断面図、（ｂ）は図５におけるＪ２−Ｊ２線に沿う拡大横断面図である（実施例２）。
【発明を実施するための形態】
【００１８】
本願発明では、合成樹脂製の中間シートに設けた多数の孔部に薬剤を過不足なく均等に充填することが可能となり、薬剤は通気性シートで覆われる。このため、薬剤が通気性シートを介して外部に放散し易くなり、薬剤の種類に応じて生じる芳香や消臭などの良好な放散効果が途切れることなく長続きする。
【実施例１】
【００１９】
本発明の実施例１について、図１ないし図４を参照ながら説明する。
本発明に係る薬剤包含型複合シート１では、図１にアセンブリーとして示すように、外層シート２の上面に貼着されて多数の孔部３ａを形成した合成樹脂製又は布製の中間シート３が設けられている。中間シート３の孔部３ａに薬剤１９が充填されている。
ここで、中間シート３を布目の稠密な布材により形成してもよい。布目の稠密な布材とは、例えば、細い繊維糸（縦糸・横糸を含む）を高密度で織り上げたものが相当する。
合成樹脂製または布製の通気性シート２３は、中間シート３の上面に孔部３ａを覆うように貼着されている。通気性シート２３と中間シート３との間には、孔部１５ａを有する接着剥離層１５が貼着されている。  
【００２０】
斯かる薬剤包含型複合シート１の製造方法にあっては、図２に示す複合シート製造装置６が用いられる。複合シート製造装置６は、合成樹脂製の外層シート２（例えば、幅寸法１．０ｍ）を巻回した巻取りドラム７を有する。
巻取りドラム７からの外層シート２は、左右方向に沿って面一に並ぶ複数の支持ローラ８ａ〜８ｆに案内されながら、例えば、幅寸法Ｗが１．０ｍ程度の長尺な帯状になって繰り出される（引出し工程）。
引出し工程では、外層シート２の繰出し操作は、左右にベルト９ｃを掛け渡された駆動ローラ９ａ、９ｂを有するベルトコンベア９により引出し方向Ｆに行われる。
【００２１】
巻取りドラム７の繰出し始端部では、繰り出された外層シート２の上面領域に対して、放出ノズル１０からの接着剤Ｈａが連続的に噴出塗布される。
巻取りドラム７の上方には、予め用意した三重層シート１１を巻回した第１ドラム１２が設けられている。三重層シート１１は、図３（ａ）、（ｂ）に示すように、合成樹脂製又は布製の中間シート３（例えば、厚み３〜５ｍｍ）の上面に合成樹脂製の補助シート１４を接着剥離層１５を中間に介して貼り合せて成る。
【００２２】
三重層シート１１にあっては、重層貫通工程において、三重層シート１１に多数の貫通孔１６（例えば、φ２〜５ｍｍ程度）を厚み方向に貫通形成している。この場合の貫通孔１６は、例えば、５．０〜１１ｍｍ程度のピッチ間隔で縦横にわたって配置されており、円形に限らず、楕円、矩形あるいは方形をはじめ、四角、五角、六角などの多角形であってもよい。
貫通孔１６の形成に伴い、中間シート３には、孔部３ａが明き、補助シート１４には孔部１４ａが形成され、接着剥離層１５には孔部１５ａが設けられている。これら孔部３ａ、１４ａ、１５ａは、互いに同一形状かつ同一大きさで重なり合って厚み方向に連通し合う状態にある。
【００２３】
第１ドラム１２からの三重層シート１１は、図１に示すように、押圧ローラ１７ａを介して外層シート２の上面に接着剤Ｈａにより貼着される（引出し工程、貼着工程）。
外層シート２の上面に貼着された三重層シート１１は、例えば、逆円錐台状のホッパー１８から落下供給された薬剤１９の散布を受けて、薬剤１９を貫通孔１６に連続的に注入充填する（充填工程）。ホッパー１８には、供給管１８ｃ、１８ｄを介してミキサー１８ａから適宜に調合・調製された薬剤１９が連続的に送られるように構成されている。
【００２４】
この薬剤１９は、例えば、粒径が０．１μｍから１００μｍ程度の微粉末から成り、充填工程において、余剰の薬剤１９は、ドックナイフなどから成るスクレイパー２０により掻き取る（掻取り工程）。
このナイフ状を成す矩形のスクレイパー２０は、支軸２０ａを中心にして回動可能に配されて、スクレイパー２０の支軸２０ａから先端部に到る平面部は、引出し方向Ｆに対向する方向に前傾状態に設けられている。スクレイパー２０の先端部は、捩じりスプリング（図示しない）により補助シート１４の上面に摺接するように回動付勢されている。
【００２５】
ここで、スクレイパー２０の先端直線部は、補助シート１４に摺接した状態で引出し方向Ｆに対して所定の傾斜角を持たせ、掻取り工程で余分な薬剤１９を外部に掻き出し易くしてもよい。
なお、スクレイパー２０は、支軸２０ａ回りの回動可能に代えて、支軸２０ａと直交方向の枢支軸（図示せず）の回りに対して回動調整可能となるように設定し、その回動調整量に応じて余分な薬剤１９を三重層シート１１（補助シート１４）の上面から掃き落し易くしてもよい。
【００２６】
掻取り工程に続く剥離工程では、補助シート１４が第２ドラム２２に巻き取られる際、補助シート１４の上面に対してスクレイパー２０が相対的に摺動する。
第２ドラム２２の巻取り動作に連関し、掻取り工程でのスクレイパー２０により、薬剤１９が貫通孔１６に過不足なく押し込まれると共に、余分な薬剤１９の残滓は三重層シート１１（補助シート１４）の上面から掻き取られて掃き落とされる構成となる。
【００２７】
斯かる剥離工程では、三重層シート１１の上層を成す補助シート１４が接着剥離層１５から剥ぎ取られ、押圧ローラ２１ａを介して第２ドラム２２に連続的に巻き取られる（図４（ｃ）参照））。
剥離工程で露出した接着剥離層１５の上面には、図４（ｄ）に示すように、合成樹脂製又は繊維製の通気性シート２３が、被覆工程で薬剤１９が充填された孔部３ａ、１５ａを覆うように貼着される。
このため、被覆工程では、第３ドラム２４の巻回された通気性シート２３が押圧ローラ２５ａ、２５ｂを介して接着剥離層１５の上面に連続的に繰り出される。通気性シート２３は、孔部３ａ、１５ａに配された薬剤１９の気化成分を透過させる構造である。  
【００２８】
なお、外層シート２としては、例えば、幅寸法が１．０ｍで厚み寸法が０．１ｍｍ〜３．０ｍｍの塩化ビニール樹脂、飽和ポリエステル樹脂、ポリカーボネイト、ポリプロピレンなどの熱可塑性樹脂を用いることができる。補助シート１４、中間シート３および接着剥離層１５の各厚み寸法も、外層シート２と同様な大きさに設定可能である。
また、薬剤１９の気化成分を透過させる通気性シート２３としては、ミクロン単位の微細孔を有するポリエチレンやポリプロピレンなどの多孔質フィルム、あるいは繊維に合成樹脂を浸漬したシートや合成樹脂をコーティングした薄布、あるいは細い繊維糸を稠密に織り上げた繊維製の布材であってもよい。
【００２９】
この場合の薬剤としては、芳香剤、消臭剤、防虫剤、抗菌剤、殺虫剤、嫌虫剤および害虫忌避剤から成る多種類の薬剤群から選択した一種類として、薬剤包含型複合シート１を多品種かつ多用途として製造販売可能にして需要者の多様な求めに対応できるようにしている。
芳香剤の場合、例えば、樫、欅、銀杏、楠木、薔薇、南天などの天然木材由来の芳醇油成分、あるいは松、杉、檜、柑橘類などを含む自然木材などの植物由来のテルペン類やセスキテルペン類を抽出主成分とする固形粉末状の天然精油、調合香料および合成香料から成る香料群のうちから一種あるいは複数種だけ選択した香料を乳化（エマルジョン）させたものを噴霧乾燥して粉末化したものを適用することができる。  
【００３０】
消臭剤の場合、活性炭をはじめ、既存のゼオライト、クリストバライト、アミヨン、オリソリン酸アルミニウム、酸化チタンと酸化亜鉛と水分子との結合体（酸化物系微粉末脱臭剤）、アニコ植物抽出物などを適用する。
防虫剤の場合、例えば、既存のパラジクロルベンゼン、アレスニン類（合成ピレスロイド）、ピペロニールプトキサイドの併用、粉体化したものを適用する。
【００３１】
抗菌剤の場合、例えば、業界周知の酸化チタン、酸化亜鉛、その他の金属酸化物、銀、銅などの微粒子を適用可能である。
殺虫剤の場合、例えば、市販のフェニトロチオン、フェンチオンなどの有機リン酸（特にダニ用）、天然ピレトリンと合成ピレトリン類化合物を総称したピレストロイド系、あるいはニコチンや除虫菊を粉剤として用いてもよい。  
害虫忌避剤（人体不快害虫用忌避剤および虫よけ剤を含む）の場合、市販の嫌虫効果を有するＮ，Ｎ−ジエチル−ｍ−トルアミド（Ｎ，Ｎ−ジエチル−３−メチルベンズアミド）を主成分（例えば、含有率３０％で市販）とする粉剤を適用できる。
また、この種の忌避剤としては、ユーカリ油由来のＰＭＤ（ｐ−メタン３，８デオール）や山葵・辛子成分のアリルイソチオシアネート（ＡＩＴ）を主成分とする粉剤を天然植物由来エキスとして使用してもよい。  
【００３２】
〔実施例１の効果〕
本発明の実施例１では、合成樹脂製又は布製（例えば、布目の稠密な布製）の中間シート３に設けた多数の孔部３ａに薬剤１９を過不足なく均等に充填することが可能となり、孔部３ａ内の薬剤１９は通気性シート２３で覆われる。
このため、薬剤１９の気化成分が通気性シート２３を介して外部に放散し易くなり、かつ薬剤１９の放散効果が経時的に減衰することがなくなる。この結果、薬剤１９の種類に応じて生じる芳香や消臭などの良好な放散効果を途切らすことなく長期にわたって維持可能となる。
とりわけ、通気性シート２３を稠密繊維製の布材で形成した場合、通気性シート２３の透過性が高くなり、薬剤１９を高い透過性の通気性シート２３の表面全域から均等で高効率に放出することができ、薬剤１９の著しく優れた放散効果が得られる。
【００３３】
なお、孔部３ａに対する薬剤１９の充填量を調整するには、孔部３ａの個数の変更や孔部３ａの開口面積を大小に変更することで可能となる。
また、本発明の実用例としては、薬剤包含型複合シート１を適宜の形状に形成することにより、壁紙をはじめ、化粧板、車室内の操舵輪カバーや内装品、長靴・登山靴や各種の靴類（紳士靴類および婦人靴類を含む）の中敷き、パーソナルコンピュータのマウスパッド、書籍のカバー、団扇、扇子、鞄、バッグ、ベルト、財布、スマートフォンなどの携帯機器の収納ケース（カバーを含む）、照明器具のシェード、クッションカバー、椅子の背もたれカバー、飲料コップのコースター、コサージュ、テーブルクロス、櫛、扇風機の羽根、空調機器のファン、各種の実用品や製品のカバーあるいは家屋の室内装飾品に多種多様な用途として広く適用することができる。
【実施例２】
【００３４】
図５および図６は本発明の実施例２を示す。実施例２が第１実施例と異なるところは、薬剤１９を互いに効能の異なる芳香剤１９ａ（第１薬剤）と脱臭剤１９ｂ（第２薬剤）とから構成したことである。この場合、一例として第１薬剤を芳香剤１９ａに設定し、第２薬剤を脱臭剤１９ｂに設定している。
【００３５】
充填工程で、芳香剤１９ａは中間シート３の孔部３ａ所定のものに充填され、脱臭剤１９ｂは孔部３ａのうち他のものに充填されるようにしている（図５参照）。
このため、三重層シート１１の上面、すなわち補助シート１４の上面には、二列のマスキング帯シート３０ａ、３０ｂが剥離可能に貼着されている（図６（ａ）参照）。
このマスキング帯シート３０ａ、３０ｂは、引出し方向Ｆの左右両側に所定の幅寸法Ｔ１、Ｔ２に分離された状態に配されている。    
【００３６】
押圧ローラ１７ａを通過した三重層シート１１からは、マスキング帯シート３０ａが上方に剥離され、上方に捲り上がって三重層シート１１の上面を露出させる。上方に捲り上がったマスキング帯シート３０ａは、上方ローラ３１に懸垂支持されながら、第１押圧ローラ３２で三重層シート１１の上面に重なるように押し付けられている（図６（ｂ）参照）。
【００３７】
押圧ローラ１７ａから第１押圧ローラ３２に至る領域を第１充填区間Ｓ１とし、三重層シート１１の露出した上面（補助シート１４の上面）には、第１ホッパー３３から芳香剤１９ａが落下供給される（充填工程）。この後、補助シート１４の上面に対して第１スクレイパー３８が摺動するため、芳香剤が貫通孔１６に過不足なく押し込まれると共に、余分な芳香剤の残滓は三重層シート１１（補助シート１４）の上面から掃き落とされる。
【００３８】
また、押圧ローラ１７ａを通過した三重層シート１１からは、第２押圧ローラ３４に押さえられながらマスキング帯シート３０ｂが上方に剥離され、上方に捲り上がって三重層シート１１の上面を露出させる。上方に捲り上がったマスキング帯シート３０ｂは、上配置ローラ３５に懸垂支持されながら、第３押圧ローラ３６で三重層シート１１の上面に重なるように押し付けられている。
【００３９】
第２押圧ローラ３４から第３保持ローラ３６に至る領域を第２充填区間Ｓ２とし、三重層シート１１の露出した上面（補助シート１４の上面）には、第２ホッパー３７から脱臭剤１９ｂが落下供給される（充填工程）。
【００４０】
この後、掻取り工程では、補助シート１４の上面に対して第２スクレイパー３９が摺動するため、脱臭剤１９ｂが貫通孔１６に過不足なく押し込まれると共に、余分な脱臭剤１９ｂの残滓は三重層シート１１（補助シート１４）の上面から掃き落とされる。
掻取り工程に続く剥離工程では、マスキング帯シート３０ａ、３０ｂが補助シート１４と一緒に重なり合って一体化した状態で、実施例１と同様に、第２ドラム２２に巻き取られるようになっている（実施例１の図４（ｃ）参照）。
【００４１】
〔実施例２の効果〕
実施例２では、第１薬剤と第２薬剤との各効能を同時に発揮させることができる。第１薬剤を芳香剤１９ａとし、第２薬剤を脱臭剤１９ｂとした場合、周囲を脱臭雰囲気にさせた状態で芳香剤１９ａを放散するため、芳香剤１９ａの芳醇感度を高めて効き目を強化することが可能になる。
【００４２】
また、マスキング帯シート３０ａ、３０ｂを設けているので、充填工程において、第１ホッパー３３から芳香剤１９ａと第２ホッパー３７からの脱臭剤１９ｂとが混じることがない。このため、同一の貫通孔１６（孔部３ａ、１４ａ、１５ａ）に芳香剤１９ａと脱臭剤１９ｂとが混在してしまうことがない。
なお、三重層シート１１における所定の貫通孔１６に対する芳香剤と他の貫通孔１６に対する脱臭剤との充填割合は、マスキング帯シート３０ａ、３０ｂの幅寸法Ｔ１、Ｔ２を大小調節することで所望に設定可能である。
【００４３】
〔変形例〕
なお、実施例２では、薬剤１９を芳香剤１９ａと脱臭剤１９ｂとから構成したが、芳香剤１９ａと脱臭剤１９ｂとの組合せに限らず、使用応対や環境状況に応じて、芳香剤、消臭剤、防虫剤、抗菌剤および忌避剤などのうち、適宜の組合せに設定してもよい。この組合せは二種類の薬剤に限らず、三種類あるいは四種類など複数種の薬剤の組合せにしてもよい。
【符号の説明】
【００４４】
１      薬剤包含型複合シート
２      外層シート
３      中間シート
３ａ    中間シートの孔部
１０    放出ノズル
１１    三重層シート
１４    補助シート
１４ａ  補助シートの孔部
１５    接着剥離層
１５ａ  接着剥離層の孔部
１６    三重層シートの貫通孔
１８    ホッパー
１８ａ  ミキサー
１９    薬剤
１９ａ  芳香剤（第１薬剤）
１９ｂ  脱臭剤（第２薬剤）
２０    スクレイパー
２３    通気性シート
３０ａ、３０ｂ  マスキング帯シート
３３    第１ホッパー
３７    第２ホッパー
３８    第１スクレイパー
３９    第２スクレイパー
Ｆ      引出し方向
Ｈａ    接着剤
Ｓ１    第１充填区間
Ｓ２    第２充填区間
【図１】
2019047892.tif 000003
【図２】
2019047892.tif 000004
【図３】
2019047892.tif 000005
【図４】
2019047892.tif 000006
【図５】
2019047892.tif 000007
【図６】
2019047892.tif 000008
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
合成樹脂製の外層シートと、
前記外層シートの上面に貼着されて多数の孔部を形成した合成樹脂製又は布製の中間シートと、
前記中間シートの前記孔部に充填された薬剤と、    
前記中間シートの上面に前記孔部を覆うように貼着された合成樹脂製又は繊維製の通気性シートとを備えたことを特徴とする薬剤包含型複合シート。
【請求項２】
前記薬剤は、互いに効能の異なる第１薬剤と第２薬剤とから成り、前記第１薬剤は前記孔部のうち所定のものに充填され、前記第２薬剤は前記孔部のうち他のものに充填されていることを特徴とする請求項１に記載の薬剤包含型複合シート。
【請求項３】
前記薬剤は、芳香剤、消臭剤、防虫剤、抗菌剤、殺虫剤、嫌虫剤および害虫忌避剤から成る多種類の薬剤群から選択した一種類であることを特徴とする請求項１に記載の薬剤包含型複合シート。
【請求項４】
前記薬剤の前記芳香剤は、自然木材から抽出したテルペン類、セスキテルペン類を主成分とする固形粉末状の天然精油、ならびに合成香料から成る香料群から選択した一種類であることを特徴とする請求項３に記載の薬剤包含型複合シート。
【請求項５】
巻取りドラムから合成樹脂製の外層シートを外部に繰り出す引出し工程と、
合成樹脂製又は布製の中間シートの上面に合成樹脂製の補助シートとを接着剥離層を介して貼り合せて成る三重層シートを用意し、前記三重層シートに多数の貫通孔を厚み方向に貫通形成することで、前記補助シート、前記接着剥離層および前記中間シートのそれぞれに互いに連通し合う孔部を設けておく重層貫通工程を備え、
前記外層シートの上面に前記三重層シートを貼着する貼着工程と、
前記三重層シートの前記孔部に薬剤を注入充填する充填工程と、
前記三重層シートの前記補助シートを前記接着剥離層から剥離するとともに、前記補助シートに代わって合成樹脂製の通気性シートを前記中間シートの上面に前記中間シートの前記孔部および前記接着剥離層の前記孔部を覆うように貼着する被覆工程とを有することを特徴とする薬剤包含型複合シートの製造方法。
【請求項６】
前記充填工程の終了後に、前記三重層シートの前記補助シートの上面にスクレイパーを擦らせて、前記補助シートの上面に残る前記薬剤の残滓を掻き取る掻取り工程を設けたことを特徴とする請求項５に記載の薬剤包含型複合シートの製造方法。
【請求項７】
前記薬剤は、互いに効能の異なる第１薬剤と第２薬剤とから成り、前記充填工程において、前記第１薬剤は前記孔部のうち所定のものに充填され、前記第２薬剤は前記孔部のうち他のものに充填されていることを特徴とする請求項５に記載の薬剤包含型複合シートの製造方法。
【請求項８】
前記薬剤は、芳香剤、消臭剤、防虫剤、抗菌剤、殺虫剤、嫌虫剤および害虫忌避剤から成る多種類の薬剤群から選択した一種類であることを特徴とする請求項５に記載の薬剤包含型複合シートの製造方法。
【請求項９】
前記薬剤の前記芳香剤は、自然木材から抽出したテルペン類やセスキテルペン類を主成分とする固形粉末状の天然精油、ならびに合成香料から成る香料群から選択した一種類であることを特徴とする請求項８に記載の薬剤包含型複合シートの製造方法。